(57)【要約】【課題】小規模の回路で、処理遅延が生じたデジタル信号に同期するカウント値により、処理遅延が生じる前のデジタル信号に同期したカウント値を得る。【解決手段】同期元カウンタ１１１は、所定のタイミングでカウントし、そのカウント値である同期元カウント値が所定の値になったとき、フレームスタート信号を出力する。カウンタ差分生成回路１２２は、遅延回路１０５により遅延されたフレームスタート信号と、同期先カウンタ１２１により復調信号に同期してカウントされた同期先カウント値とに基づいて、同期先カウント値と、その同期先カウント値がカウントされるより遅延時間前の同期元カウント値との差分値を生成する。同期元カウンタ１１１は、その差分値に基づいて同期元カウント値を補正する。本発明は、例えば、テレビジョン受像機に適用することができる。【選択図】図６
2009005307.tif 000002
【特許請求の範囲】
【請求項１】
デジタル信号を受信するデジタル受信装置において、
前記デジタル信号に同期してカウントする同期先カウンタと、
所定のタイミングでカウントし、そのカウント値である同期元カウント値が所定の値になったとき、所定のタイミング信号を出力する同期元カウンタと、
前記同期元カウンタから出力されるタイミング信号を、所定の遅延時間だけ遅延させる遅延手段と、
遅延された前記タイミング信号と、前記同期先カウンタのカウント値である同期先カウント値とに基づいて、前記同期先カウント値と、その同期先カウント値がカウントされるより前記遅延時間前の同期元カウント値との差分値を生成する生成手段と
を備え、
前記同期元カウンタは、前記差分値に基づいて前記同期元カウント値を補正する
デジタル受信装置。
【請求項２】
前記デジタル信号の復調を行う復調手段
をさらに備え、
前記同期元カウンタは、前記所定のタイミング信号を、前記復調手段と前記遅延手段に出力する
請求項１に記載のデジタル受信装置。
【請求項３】
デジタル信号を受信するデジタル受信装置のデジタル受信方法において、
前記デジタル信号に同期してカウントし、
所定のタイミングでカウントし、そのカウント値である同期元カウント値が所定の値になったとき、所定のタイミング信号を出力し、
そのタイミング信号を、所定の遅延時間だけ遅延させ、
遅延された前記タイミング信号と、前記デジタル信号に同期してカウントされたカウント値である同期先カウント値とに基づいて、前記同期先カウント値と、その同期先カウント値がカウントされるより前記遅延時間前の同期元カウント値との差分値を生成し、
前記差分値に基づいて前記同期元カウント値を補正する
ステップを含むデジタル受信方法。
【請求項４】
デジタル信号を受信するデジタル受信装置において、
前記デジタル信号に同期してカウントする同期先カウンタと、
所定のタイミングでカウントする同期元カウンタと、
前記同期元カウンタのカウント値である同期元カウント値を遅延させる遅延手段と、
遅延された前記同期元カウント値と、前記同期先カウンタのカウント値である同期先カウント値との差分値を生成する生成手段と
を備え、
前記同期元カウンタは、前記差分値に基づいて前記同期元カウント値を補正する
デジタル受信装置。
【請求項５】
前記デジタル信号の復調を行う復調手段
をさらに備え、
前記同期元カウンタは、前記同期元カウント値が所定の値になったとき、所定のタイミング信号を前記復調手段に出力する
請求項３に記載のデジタル受信装置。
【請求項６】
デジタル信号を受信するデジタル受信装置のデジタル受信方法において、
前記デジタル信号に同期してカウントし、
所定のタイミングでカウントし、
前記所定のタイミングでカウントされたカウント値である同期元カウント値を遅延させ、
遅延された前記同期元カウント値と、前記デジタル信号に同期してカウントされたカウント値である同期先カウント値との差分値を生成し、
前記差分値に基づいて前記同期元カウント値を補正する
ステップを含むデジタル受信方法。
【発明の詳細な説明】
【技術分野】
【０００１】
本発明は、デジタル受信装置およびデジタル受信方法に関し、特に、小規模の回路で、処理遅延が生じたデジタル信号に同期するカウント値により、処理遅延が生じる前のデジタル信号に同期したカウント値を得ることができるようにしたデジタル受信装置およびデジタル受信方法に関する。
【背景技術】
【０００２】
放送通信分野では、固定系列である既知シンボルを送信データに挿入する伝送方式が多く用いられている。この伝送方式では、受信側が、その既知シンボルを利用して、同期を捕捉する。
【０００３】
また、例えば、この伝送方式が用いられた現行のBS（Broadcast Satellite）デジタル衛星放送では、送信データがフレームを単位として構成され、受信側において、既知シンボルとして規定されているバースト信号を捨てる処理や、TMCC（Transmission and Multiplexing. Configuration Control）情報を抽出してデコートする処理などを行う必要がある。
【０００４】
そして、これらの処理を行うためには、既知シンボルとして規定されている、フレーム同期信号ｗ１やｗ２、バースト信号などの位置を復調装置内の各ブロックで正確に認識する必要がある。さらに、より高性能な復調を実現するためには、送信データのフレーム構成を利用することが必要不可欠である。
【０００５】
ところで、既知シンボルの位置を認識するためには、フレームの先頭位置を知る必要があるため、受信側ではフレーム同期を行う。このフレーム同期を行う時期は、受信側のシステムに依存する。例えば、受信側のシステムが、BSデジタル衛星放送のシステムである場合、スーパーフレームのフレーム同期においては、キャリアオフセットが存在すると同期を確立することができない。即ち、スーパーフレームのフレーム同期には、搬送波同期のとれた信号が必要である。そのため、フレーム同期を行うフレーム同期部の位置は、図１に示すように、搬送波同期を行う搬送波同期部１２の後段側となる。
【０００６】
具体的には、図１のBSデジタル衛星放送の受信側のシステムの復調装置１０は、周波数補正回路１１、搬送波同期部１２、等化処理部１３、位相同期部１４、およびフレーム同期部１５により構成される。
【０００７】
周波数補正回路１１には、図示せぬアンテナを介して受信された、BSデジタル衛星放送の放送波のIF(Intermediate Frequency)信号のデジタル信号である受信信号が入力される。周波数補正回路１１は、受信信号に、図示せぬBSデジタル衛星放送の送信装置で用いられる搬送波に相当する搬送波相当信号を乗算することにより、受信信号をI成分とQ成分とからなるベースバンドの復調信号に変換する。
【０００８】
また、周波数補正回路１１は、復調信号に応じて、BSデジタル衛星放送の送信データの有無を表すフラグを生成する。周波数補正回路１１は、復調信号とフラグを搬送波同期部１２に供給し、復調信号を等化処理部１３に供給する。
【０００９】
さらに、周波数補正回路１１には、搬送波同期部１２から、搬送波相当信号の、BSデジタル衛星放送の送信装置で用いられる搬送波に対する周波数誤差の推定値が供給される。周波数補正回路１１は、搬送波同期部１２からの周波数誤差の推定値に基づき、搬送波相当信号の、送信装置で用いられる搬送波に対する周波数誤差を補正する。
【００１０】
搬送波同期部１２は、フレーム同期部１５から供給されるフレームスタート信号を用いて、既知シンボルの位置を認識する。搬送波同期部１２は、その既知シンボルの位置と、周波数補正回路１１から供給されるフラグに基づいて、周波数補正回路１１から供給される復調信号としてのシンボル系列から、既知シンボルを抽出する。搬送波同期部１２は、その既知シンボルを用いて、搬送波相当信号の、BSデジタル衛星放送の送信装置で用いられる搬送波に対する周波数誤差の推定値を求め、周波数補正回路１１に供給する。
【００１１】
等化処理部１３は、フレーム同期部１５から供給されるフレームスタート信号を用いて、既知シンボルの位置を認識する。等化処理部１３は、その既知シンボルの位置を用いて、周波数補正回路１１から供給される復調信号を対象に等化処理を行い、位相同期部１４に供給する。
【００１２】
位相同期部１４は、フレーム同期部１５から供給されるフレームスタート信号を用いて、既知シンボルの位置を認識する。位相同期部１４は、その既知シンボルの位置を用いて、復調信号としてのシンボル系列を構成するシンボルのIQ平面上の信号点の、そのシンボルの本来の信号点に対する位相誤差を推定する。位相同期部１４は、その位相誤差の推定値に基づき、等化処理部１３からの復調信号としてのシンボル系列を構成するシンボルの位相誤差を補正し、フレーム同期部１５に供給する。
【００１３】
なお、位相同期部１４により位相誤差が補正された復調信号は、図示せぬ誤り訂正部にも供給され、ビタビ復号、及びリードソロモン復号等の誤り訂正処理(FEC(Forward Error Correction))が施される。そして、その結果得られる復調信号は、図示せぬMPEG（Moving Picture Experts Group）方式のデコーダに供給され、デコードされる。
【００１４】
フレーム同期部１５は、位相同期部１４から供給される復調信号に基づき、フレーム同期をとり、例えば、フレームの先頭を表すフレームスタート信号を搬送波同期部１２、等化処理部１３、および位相同期部１４に供給する。
【００１５】
以上のように、復調装置１０では、搬送波同期部１２、等化処理部１３、および位相同期部１４において既知シンボルの位置を用いて処理が行われるので、後段側に配置されるフレーム同期部１５で生成されるフレームスタート信号をフィードバックすることによって、搬送波同期部１２、等化処理部１３、および位相同期部１４に、フレームの先頭位置を正確に知らせる必要がある。
【００１６】
しかしながら、フィードバックされるフレームスタート信号は、周波数補正回路１１から等化処理部１３と位相同期部１４を介して供給される復調信号、即ち、周波数補正回路１１から直接供給される復調信号に対して、等化処理部１３、位相同期部１４、およびフレーム同期部１５における処理の時間分遅延された復調信号に基づいて生成されたものである。
【００１７】
従って、フレーム同期部１５で生成されるフレームスタート信号に応じて、例えば、搬送波同期部１２に供給される復調信号のフレームの先頭位置を正確に知らせるためには、搬送波同期部１２に供給される復調信号を、等化処理部１３、位相同期部１４、およびフレーム同期部１５における処理の時間分遅延させる必要がある。
【００１８】
そこで、実際には、図２に示すように、復調装置１０において、搬送波同期部１２の前段に、遅延回路２１乃至２３を設けることにより、搬送波同期部１２に入力される受信信号を、等化処理部１３、位相同期部１４、およびフレーム同期部１５における処理の時間（以下、従来処理遅延時間という）だけ遅延させている。
【００１９】
即ち、図２の復調装置１０においては、遅延回路２１が、周波数補正回路１１から供給される復調信号のI成分を、従来処理遅延時間だけ遅延させ、遅延後のI成分を搬送波同期部１２に供給する。また、遅延回路２２は、周波数補正回路１１から供給される復調信号のQ成分を、従来処理遅延時間だけ遅延させ、遅延後のQ成分を搬送波同期部１２に供給する。さらに、遅延回路２２は、周波数補正回路１１から供給されるフラグを、従来処理遅延時間だけ遅延させ、遅延後のフラグを搬送波同期部１２に供給する。
【００２０】
また、搬送波同期部１２は、詳細には、図２に示すように、同期元カウンタ３１、既知シンボル抽出回路３２、および周波数誤差検出回路３３により構成される。
【００２１】
同期元カウンタ３１は、フレーム同期部１５から供給されるフレームスタート信号に同期して、シンボルをカウントする。これにより、同期元カウンタ３１のカウント値が、フレーム同期部１５の同期先カウンタ４２（後述する）のカウント値に同期する。そして、同期元カウンタ３１は、そのカウント値を既知シンボル抽出回路３２に供給する。
【００２２】
既知シンボル抽出回路３２は、遅延回路２１乃至２３から供給される復調信号のI成分およびQ成分、並びにフラグと、同期元カウンタ３１から供給されるカウント値に基づいて、復調信号から既知シンボルを抽出する。そして、既知シンボル抽出回路３２は、抽出した既知シンボルのI成分とQ成分を周波数誤差検出回路３３に供給する。
【００２３】
周波数誤差検出回路３３は、既知シンボル抽出回路３２から供給される既知シンボルのI成分とQ成分を用いることにより、シンボル誤差を求める。周波数誤差検出回路３３は、そのシンボル誤差の自己相関和を求め、その自己相関和を用いて、周波数誤差の推定値を求める。そして、周波数誤差検出回路３３は、その周波数誤差の推定値を周波数補正回路１１に供給する。
【００２４】
また、フレーム同期部１５は、詳細には、図２に示すように、フレーム同期処理部４１と同期先カウンタ４２により構成される。フレーム同期処理部４１は、位相同期部１４から供給される復調信号に基づいて、フレーム同期をとり、フレーム同期後の復調信号を同期先カウンタ４２に供給する。
【００２５】
同期先カウンタ４２は、フレーム同期処理部４１から供給される復調信号に同期して、シンボルをカウントし、これにより、信頼性の高いカウント値を得る。また、同期先カウンタ４２は、カウント値が０であるとき、フレームスタート信号を生成し、搬送波同期部１２の同期元カウンタ３１にフィードバックする。
【００２６】
なお、図３は、復調装置１０のカウント値の同期に関するブロックのみを図示したものである。図３では、等化処理部１３、位相同期部１４、およびフレーム同期処理部４１をまとめて、復調処理群５１としている。
【００２７】
以上のように、遅延回路２１乃至２３は、従来処理遅延時間だけ復調信号とフラグを遅延させるので、フレームスタート信号を用いて、復調処理群５１により従来処理遅延時間だけ遅延された復調信号に同期する同期先カウンタ４２のカウント値に、同期元カウンタ３１のカウント値を同期させることにより、そのカウント値を、遅延回路２１乃至２３から供給される復調信号とフラグに同期させることができる。
【００２８】
次に、復調装置１０における信号のタイミングについて説明する。
【００２９】
なお、ここでは、図４に示すように、１フレームが、４個のシンボルからなる既知シンボルと、１６個のシンボルからなる主信号により構成されているものとする。
【００３０】
図５は、復調装置１０における信号のタイミングを示すタイミングチャートである。
【００３１】
なお、図５では、復調処理群５１における従来処理遅延時間が、周波数補正回路１１から復調信号として５個のシンボルが出力される時間であるものとする。
【００３２】
図５では、時刻ｔ1から時刻ｔ2までの間、周波数補正回路１１から遅延回路２１乃至２３に供給される信号Ｂ（図２）として、復調信号としての４個のシンボルからなる既知シンボルとフラグが出力される。その後、信号Ｂとして、復調信号としての１６個のシンボルからなる主信号とフラグの出力が開始される。また、時刻ｔ1から時刻ｔ2までの間、周波数補正回路１１から復調処理群５１の等化処理部１３に、既知シンボルが出力され、その後、主信号の出力が開始される。
【００３３】
そして、図５に示すように、主信号の先頭のシンボルとフラグの出力が終了した時刻ｔ3において、即ち、信号Ｂとして既知シンボルを構成する４個のシンボルと、主信号の先頭のシンボルの合計５個のシンボルが出力された時刻ｔ3において、復調処理群５１のフレーム同期処理部４１から同期先カウンタ４２に供給される信号Ａ（図２）として、復調信号としての既知シンボルの出力が開始される。即ち、復調処理群５１の処理により、５個のシンボルが周波数補正回路１１から出力されるまでの間、復調信号が遅延される。
【００３４】
時刻ｔ3において、信号Ａとしての既知シンボルの出力が開始されると、図５に示すように、同期先カウンタ４２は、その信号Ａに同期してシンボルのカウントを開始し、信号Ａとしてシンボルが供給されるごとに、カウント値を０から順にインクリメントする。また、時刻ｔ3において、同期先カウンタ４２のカウント値が０になるので、同期先カウンタ４２は、図５に示すように、フレームスタート信号を生成して、同期元カウンタ３１にフィードバックする。これにより、同期元カウンタ３１は、フレームスタート信号に同期して、時刻ｔ3において、シンボルのカウントを開始する。
【００３５】
一方、遅延回路２１乃至２３は、復調処理群５１による従来処理遅延時間、即ち、５個のシンボルが周波数補正回路１１から出力されるまでの時間、復調信号とフラグを遅延するので、図５に示すように、時刻ｔ3において、遅延回路２１乃至２３は、遅延回路２１乃至２３から既知シンボル抽出回路３２に供給する信号Ｃ（図２）としての、遅延後の既知シンボルとフラグの出力を開始する。
【００３６】
時刻ｔ4において、信号Ｂとしての主信号とフラグの出力が終了すると、信号Ｂとしての、次のフレームの既知シンボルとフラグの出力が開始される。そして、以降も、時刻ｔ1から時刻ｔ4までの処理と同様の処理が行われる。なお、同期先カウンタ４２は、１フレームを構成するシンボルの数である２０回のカウントを終了すると、即ち、カウント値が１９になると、カウント値を０に戻し、フレームスタート信号を生成して同期元カウンタ３１にフィードバックする。これにより、同期元カウンタ３１も、カウント値が１９になると、カウント値を０に戻す。
【００３７】
以上のように、復調装置１０は、遅延回路２１乃至２３で復調信号とフラグを遅延させることにより、既知シンボル抽出回路３２に信号Ｃとして入力される復調信号と、同期元カウンタ３１のカウント値とを同期させることができる。
【００３８】
ところで、従来、カウンタのカウント値を調整する装置として、データストリーム中に連続するデータバイトごとにカウント値を増加または減少させるカウンタと、１バイトを構成するビット数と１シンボルを構成するビット数との比に基づいて決定される調整値を用いて、所定のデータバイトごとにカウンタのカウント値を増加または減少させて、そのカウント値と、データストリーム中に連続するデータシンボルの数とを一致させる調整手段を備える装置がある（例えば、特許文献１参照）。
【００３９】
【特許文献１】特開２０００−１１５２７２号公報
【発明の開示】
【発明が解決しようとする課題】
【００４０】
上述した復調装置１０では、遅延回路２１乃至２３により、一般的に数十ビットのデータである復調信号のI成分およびQ成分、並びに、１ビットのデータであるフラグを遅延させるため、遅延回路２１乃至２３の回路規模は、比較的大きくなる。従って、小規模の回路で、復調処理群５１により処理遅延が生じた復調信号に同期する同期先カウンタ４２のカウント値により、周波数補正回路１１から出力される、処理遅延が生じる前の復調信号とフラグに同期したカウント値を、同期元カウンタ３１で得ることは困難であった。
【００４１】
本発明は、このような状況に鑑みてなされたものであり、小規模の回路で、処理遅延が生じたデジタル信号に同期するカウント値により、処理遅延が生じる前のデジタル信号に同期したカウント値を得ることができるようにするものである。
【課題を解決するための手段】
【００４２】
本発明の第１の側面のデジタル受信装置は、デジタル信号を受信するデジタル受信装置において、前記デジタル信号に同期してカウントする同期先カウンタと、所定のタイミングでカウントし、そのカウント値である同期元カウント値が所定の値になったとき、所定のタイミング信号を出力する同期元カウンタと、前記同期元カウンタから出力されるタイミング信号を、所定の遅延時間だけ遅延させる遅延手段と、遅延された前記タイミング信号と、前記同期先カウンタのカウント値である同期先カウント値とに基づいて、前記同期先カウント値と、その同期先カウント値がカウントされるより前記遅延時間前の同期元カウント値との差分値を生成する生成手段とを備え、前記同期元カウンタは、前記差分値に基づいて前記同期元カウント値を補正する。
【００４３】
本発明の第１の側面のデジタル受信装置は、前記デジタル信号の復調を行う復調手段をさらに設け、前記同期元カウンタは、前記所定のタイミング信号を、前記復調手段と前記遅延手段に出力することができる。
【００４４】
本発明の第１の側面のデジタル受信方法は、デジタル信号を受信するデジタル受信装置のデジタル受信方法において、前記デジタル信号に同期してカウントし、所定のタイミングでカウントし、そのカウント値である同期元カウント値が所定の値になったとき、所定のタイミング信号を出力し、そのタイミング信号を、所定の遅延時間だけ遅延させ、遅延された前記タイミング信号と、前記デジタル信号に同期してカウントされたカウント値である同期先カウント値とに基づいて、前記同期先カウント値と、その同期先カウント値がカウントされるより前記遅延時間前の同期元カウント値との差分値を生成し、前記差分値に基づいて前記同期元カウント値を補正するステップを含む。
【００４５】
本発明の第２の側面のデジタル受信装置は、デジタル信号を受信するデジタル受信装置において、前記デジタル信号に同期してカウントする同期先カウンタと、所定のタイミングでカウントする同期元カウンタと、前記同期元カウンタのカウント値である同期元カウント値を遅延させる遅延手段と、遅延された前記同期元カウント値と、前記同期先カウンタのカウント値である同期先カウント値との差分値を生成する生成手段とを備え、前記同期元カウンタは、前記差分値に基づいて前記同期元カウント値を補正する。
【００４６】
本発明の第２の側面のデジタル受信装置は、前記デジタル信号の復調を行う復調手段をさらに設け、前記同期元カウンタは、前記同期元カウント値が所定の値になったとき、所定のタイミング信号を前記復調手段に出力することができる。
【００４７】
本発明の第２の側面のデジタル受信方法は、デジタル信号を受信するデジタル受信装置の受信方法において、前記デジタル信号に同期してカウントし、所定のタイミングでカウントし、前記所定のタイミングでカウントされたカウント値である同期元カウント値を遅延させ、遅延された前記同期元カウント値と、前記デジタル信号に同期してカウントされたカウント値である同期先カウント値との差分値を生成し、前記差分値に基づいて前記同期元カウント値を補正するステップを含む。
【００４８】
本発明の第１の側面においては、デジタル信号に同期してカウントが行われ、所定のタイミングでカウントが行われ、そのカウント値である同期元カウント値が所定の値になったとき、所定のタイミング信号が出力され、そのタイミング信号が、所定の遅延時間だけ遅延され、遅延されたタイミング信号と、デジタル信号に同期してカウントされたカウント値である同期先カウント値とに基づいて、同期先カウント値と、その同期先カウント値がカウントされるより遅延時間前の同期元カウント値との差分値が生成され、差分値に基づいて同期元カウント値が補正される。
【００４９】
本発明の第２の側面においては、デジタル信号に同期してカウントが行われ、所定のタイミングでカウントが行われ、所定のタイミングでカウントされたカウント値である同期元カウント値が遅延され、遅延された同期元カウント値と、デジタル信号に同期してカウントされたカウント値である同期先カウント値との差分値が生成され、差分値に基づいて同期元カウント値が補正される。
【発明の効果】
【００５０】
以上のように、本発明の第１の側面によれば、小規模の回路で、処理遅延が生じたデジタル信号に同期するカウント値により、処理遅延が生じる前のデジタル信号に同期したカウント値を得ることができる。
【００５１】
また、本発明の第２の側面によれば、小規模の回路で、処理遅延が生じたデジタル信号に同期するカウント値により、処理遅延が生じる前のデジタル信号に、より確実に同期したカウント値を得ることができる。
【発明を実施するための最良の形態】
【００５２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００５３】
本発明の第１の側面のデジタル受信装置は、
デジタル信号を受信するデジタル受信装置(例えば、図６の復調装置１００)において、
前記デジタル信号に同期してカウントする同期先カウンタ（例えば、図６の同期先カウンタ１２１）と、
所定のタイミングでカウントし、そのカウント値である同期元カウント値が所定の値になったとき、所定のタイミング信号を出力する同期元カウンタ（例えば、図６の同期元カウンタ１１１）と、
前記同期元カウンタから出力されるタイミング信号を、所定の遅延時間だけ遅延させる遅延手段（例えば、図６の遅延回路１０５）と、
遅延された前記タイミング信号と、前記同期先カウンタのカウント値である同期先カウント値とに基づいて、前記同期先カウント値と、その同期先カウント値がカウントされるより前記遅延時間前の同期元カウント値との差分値を生成する生成手段(例えば、図６のカウンタ差分生成回路１２２)と
を備え、
前記同期元カウンタは、前記差分値に基づいて前記同期元カウント値を補正する。
【００５４】
本発明の一側面のデジタル受信装置は、
前記デジタル信号の復調を行う復調手段(例えば、図６の等化処理部１０２)
をさらに備え、
前記同期元カウンタは、前記所定のタイミング信号を、前記復調手段と前記遅延手段に出力する。
【００５５】
本発明の一側面のデジタル受信方法は、
デジタル信号を受信するデジタル受信装置(例えば、図６の復調装置１００)のデジタル受信方法において、
前記デジタル信号に同期してカウントし(例えば、図１１のステップＳ３１)、
所定のタイミングでカウントし、そのカウント値である同期元カウント値が所定の値になったとき、所定のタイミング信号を出力し(例えば、図１０のステップＳ１３)、
そのタイミング信号を、所定の遅延時間だけ遅延させ（例えば、図１０のステップＳ１４）、
遅延された前記タイミング信号と、前記デジタル信号に同期してカウントされたカウント値である同期先カウント値とに基づいて、前記同期先カウント値と、その同期先カウント値がカウントされるより前記遅延時間前の同期元カウント値との差分値を生成し（例えば、図１１のステップＳ３３）、
前記差分値に基づいて前記同期元カウント値を補正する(例えば、図１０のステップＳ１６)
ステップを含む。
【００５６】
本発明の第２の側面のデジタル受信装置は、
デジタル信号を受信するデジタル受信装置（例えば、図１２の復調装置２００）において、
前記デジタル信号に同期してカウントする同期先カウンタ(例えば、図１２の同期先カウンタ１２１)と、
所定のタイミングでカウントする同期元カウンタ(例えば、図１２の同期元カウンタ２１１)と、
前記同期元カウンタのカウント値である同期元カウント値を遅延させる遅延手段(例えば、図１２の遅延回路２０３)と、
遅延された前記同期元カウント値と、前記同期先カウンタのカウント値である同期先カウント値との差分値を生成する生成手段(例えば、図１２のカウンタ差分生成回路２２１)と
を備え、
前記同期元カウンタは、前記差分値に基づいて前記同期元カウント値を補正する。
【００５７】
本発明の第２の側面のデジタル受信装置は、
前記デジタル信号の復調を行う復調手段（例えば、図１２の等化処理部１０２）
をさらに備え、
前記同期元カウンタは、前記同期元カウント値が所定の値になったとき、所定のタイミング信号を前記復調手段に出力する。
【００５８】
本発明の第２の側面の受信方法は、
デジタル信号を受信するデジタル受信装置(例えば、図１２の復調装置２００)のデジタル受信方法において、
前記デジタル信号に同期してカウントし(例えば、図１５のステップＳ７１)、
所定のタイミングでカウントし（例えば、図１４のステップＳ５１）、
前記所定のタイミングでカウントされたカウント値である同期元カウント値を遅延させ、
遅延された前記同期元カウント値と、前記デジタル信号に同期してカウントされたカウント値である同期先カウント値との差分値を生成し（例えば、図１５のステップＳ７３）、
前記差分値に基づいて前記同期元カウント値を補正する(例えば、図１４のステップＳ５５)
ステップを含む。
【００５９】
以下、本発明を適用した具体的な実施の形態について、図面を参照しながら詳細に説明する。
【００６０】
図６は、本発明を適用した復調装置の第１の実施の形態の構成例を示している。
【００６１】
図６の復調装置１００は、周波数補正回路１１、搬送波同期部１０１、等化処理部１０２、位相同期部１０３、フレーム同期部１０４、および遅延回路１０５により構成され、図示せぬアンテナを介して受信された、BSデジタル衛星放送の放送波のIF信号のデジタル信号である受信信号を復調する。なお、図６において、図２と同一のものには、同一の符号を付してあり、説明は繰り返しになるので、適宜省略する。
【００６２】
搬送波同期部１０１は、同期元カウンタ１１１、既知シンボル抽出回路１１２、および周波数誤差検出回路３３により構成される。
【００６３】
同期元カウンタ１１１は、所定のタイミングで、シンボルをカウントし、そのカウント値を既知シンボル抽出回路１１２に供給する。また、同期元カウンタ１１１は、後述するフレーム同期部１０４から供給される、同期先カウンタ１２１のカウント値と、同期元カウンタ１１１のカウント値の差分値に基づいて、カウント値を補正する。さらに、同期元カウンタ１１１は、カウント値が０であるとき、フレームスタート信号を生成して、等化処理部１０２と遅延回路１０５に供給する。
【００６４】
既知シンボル抽出回路１１２には、周波数補正回路１１から出力された復調信号のI成分およびQ成分、並びにフラグがそのまま入力される。既知シンボル抽出回路１１２は、その復調信号のI成分およびQ成分、並びにフラグと、同期元カウンタ１１１から供給されるカウント値に基づいて、復調信号から既知シンボルを抽出する。そして、既知シンボル抽出回路１１２は、抽出した既知シンボルのI成分とQ成分を周波数誤差検出回路３３に供給する。
【００６５】
等化処理部１０２は、搬送波同期部１０１の同期元カウンタ１１１から供給されるフレームスタート信号を用いて、既知シンボルの位置を認識する。等化処理部１０２は、その既知シンボルの位置を用いて、周波数補正回路１１から供給される復調信号を対象に等化処理を行い、その結果得られる復調信号を位相同期部１０３に供給する。また、等化処理部１０２は、同期元カウンタ１１１から供給されるフレームスタート信号を、等化処理により生じる処理遅延の時間だけ遅延させ、位相同期部１０３に供給する。これにより、位相同期部１０３に入力される復調信号とフレームスタート信号が同期する。
【００６６】
位相同期部１０３は、等化処理部１０２から供給されるフレームスタート信号を用いて、既知シンボルの位置を認識する。位相同期部１０３は、その既知シンボルの位置を用いて、復調信号としてのシンボル系列を構成するシンボルのIQ平面上の信号点の、そのシンボルの本来の信号点に対する位相誤差を推定する。位相同期部１０３は、その位相誤差の推定値に基づき、等化処理部１０２からの復調信号としてのシンボル系列を構成するシンボルの位相誤差を補正し、フレーム同期部１０４に供給する。
【００６７】
なお、位相同期部１０３により位相誤差が補正された復調信号は、図示せぬ誤り訂正部にも供給され、ビタビ復号、及びリードソロモン復号等の誤り訂正処理が施される。そして、その結果得られる復調信号は、図示せぬMPEG方式のデコーダに供給され、デコードされる。
【００６８】
フレーム同期部１０４は、フレーム同期処理部４１、同期先カウンタ１２１、およびカウンタ差分生成回路１２２により構成される。
【００６９】
同期先カウンタ１２１は、フレーム同期処理部４１から供給される復調信号に同期して、シンボルをカウントし、これにより、信頼性の高いカウント値を得る。また、同期先カウンタ１２１は、そのカウント値をカウンタ差分生成回路１２２に供給する。
【００７０】
カウンタ差分生成回路１２２には、遅延回路１０５から、等化処理部１０２、位相同期部１０３、およびフレーム同期処理部４１により構成される復調処理群１３１（図７）における処理の時間である処理遅延時間だけ遅延されたフレームスタート信号が入力されるとともに、同期先カウンタ１２１によりカウントされたカウント値が入力される。
【００７１】
カウンタ差分生成回路１２２は、フレームスタート信号とカウント値に基づいて、同期先カウンタ１２１のカウント値と、そのカウント値がカウントされるより処理遅延時間前の同期元カウンタ１１１のカウント値との差分値を生成する。
【００７２】
具体的には、フレームスタート信号は、同期元カウンタ１１１のカウント値が０であることを表しているので、カウンタ差分生成回路１２２は、同期元カウンタ１１１のカウント値を差分値として生成する。そして、カウンタ差分生成回路１２２は、その差分値を搬送波同期部１０１の同期元カウンタ１１１にフィードバックする。
【００７３】
遅延回路１０５は、搬送波同期部１０１の同期元カウンタ１１１から供給されるフレームスタート信号を、処理遅延時間だけ遅延させる。そして、遅延回路１０５は、処理遅延後のフレームスタート信号をカウンタ差分生成回路１２２に供給する。
【００７４】
なお、図７は、復調装置１００のカウント値の同期に関するブロックのみを図示したものである。
【００７５】
以上のように、復調装置１００では、カウンタ差分生成回路１２２が、処理遅延時間だけ遅延されたフレームスタート信号に応じて、同期先カウンタ１２１のカウント値と、そのカウント値がカウントされるより処理遅延時間前の同期元カウンタ１１１のカウント値との差分値を生成し、同期元カウンタ１１１が、その差分値に基づいてカウント値を補正するので、同期先カウンタ１２１のカウント値に、そのカウント値がカウントされるより処理遅延時間前の同期元カウンタ１１１のカウント値が同期することになる。
【００７６】
即ち、同期元カウンタ１１１は、復調処理群１３１により処理遅延が生じた復調信号に同期する同期先カウンタ１２１のカウント値よりも、処理遅延時間だけ早いカウント値を、カウントしていることになる。従って、同期元カウンタ１１１のカウント値は、周波数補正回路１１から出力される、処理遅延が生じる前の復調信号とフラグに同期したカウント値となる。
【００７７】
このように、復調装置１００では、同期元カウンタ１１１で生成されるフレームスタート信号を遅延させることにより、復調処理群１３１により処理遅延が生じた復調信号に同期する同期先カウンタ１２１のカウント値により、周波数補正回路１１から出力される、処理遅延が生じる前の復調信号とフラグに同期したカウント値を、同期元カウンタ１１１で得ることができる。
【００７８】
従って、復調装置１００では、カウント値を同期させる機構、即ち、遅延回路１０５、同期元カウンタ１１１、同期先カウンタ１２１、およびカウンタ差分生成回路１２２により構成される機構内で、周波数補正回路１１から出力される復調信号とフラグに同期したカウント値を、同期元カウンタ１１１で得る処理を閉じることができる。
【００７９】
その結果、周波数補正回路１１から搬送波同期部１２に入力される復調信号とフラグを遅延させる必要がある図２の復調装置１０に比べて、復調信号とフラグが遅延されないため、その復調信号とフラグを用いて生成される、周波数補正回路１１にフィードバックされる周波数誤差の推定値が遅延されず、復調性能の劣化を防止することができる。
【００８０】
また、フレームスタート信号は１ビットで表すことができるため、そのフレームスタート信号を遅延させる遅延回路１０５の回路規模は、十数ビットのI成分およびQ成分、並びに１ビットのフラグを遅延させる遅延回路２１乃至２３（図２）に比べて小さい。従って、従来の復調装置１０に比べて、復調装置１００の回路規模を削減することができる。
【００８１】
さらに、復調装置１００では、フレームスタート信号だけを遅延させればよいので、I成分およびQ成分、並びにフラグの３つの信号を全て遅延させる必要がある従来の復調装置１０に比べて、復調装置１００の開発段階で、処理遅延時間を変更する際にバグが混入する可能性が低く、復調処理群１３１の性能によって変化する可能性の高い処理遅延時間のメンテナンスが容易である。
【００８２】
なお、図６では、等化処理部１０２が、フレームスタート信号を遅延させたが、同期元カウンタ１１１と位相同期部１０３の間に遅延回路を設け、その遅延回路が、等化処理部１０２における処理遅延の時間だけ、フレームスタート信号を遅延させるようにしてもよい。
【００８３】
次に、復調装置１００における信号のタイミングについて説明するが、ここでは、図８に示すように、１フレームが、４個のシンボルからなる既知シンボルと、１６個のシンボルからなる主信号により構成されているものとする。このことは、後述する図１３においても同様である。なお、図８のフレーム構成は、図４のフレーム構成と同一である。
【００８４】
図９は、復調装置１００における信号のタイミングを示すタイミングチャートである。
【００８５】
なお、図９では、復調処理群１３１における処理遅延時間が、周波数補正回路１１から５個のシンボルが出力される時間であるものとする。このことは、後述する図１３においても同様である。また、図９において、図５と同一のものには同一の符号を付してある。
【００８６】
図９では、図５の場合と同様に、時刻ｔ1から時刻ｔ2までの間、周波数補正回路１１から搬送波同期部１０１に供給される信号Ｂ（図６）として、復調信号としての４個のシンボルからなる既知シンボルとフラグが出力される。その後、信号Ｂとして、復調信号としての１６個のシンボルからなる主信号とフラグの出力が開始される。また、時刻ｔ1から時刻ｔ2までの間、周波数補正回路１１から復調処理群１３１の等化処理部１０２に、既知シンボルが出力され、その後、主信号の出力が開始される。
【００８７】
そして、復調処理群１３１の処理により、５個のシンボルが周波数補正回路１１から出力されるまでの間、復調信号が遅延され、図９に示すように、主信号の先頭から２番目のシンボルとフラグが出力される時刻ｔ3において、復調処理群１３１のフレーム同期処理部４１から同期先カウンタ１２１に供給される信号Ａ（図６）として、復調信号としての既知シンボルの出力が開始される。
【００８８】
時刻ｔ3において、信号Ａとして既知シンボルの出力が開始されると、図９に示すように、同期先カウンタ１２１は、図５の場合と同様に、その信号Ａに同期してシンボルのカウントを開始し、信号Ａとしてシンボルが供給されるごとに、カウント値を０から順にインクリメントする。そして、同期先カウンタ１２１は、カウント値をカウンタ差分生成回路１２２に供給する。
【００８９】
一方、信号Ｂの搬送波同期部１０１への入力に対して、同期元カウンタ１１１によるカウントの開始が、７個のシンボルが周波数補正回路１１から出力される時間だけ遅延している場合、図９に示すように、時刻ｔ1から、７個のシンボルが周波数補正回路１１から出力された後の時刻ｔ11において、同期元カウンタ１１１は、シンボルのカウントを開始し、カウント値を０から順にインクリメントする。また、時刻ｔ11において、同期元カウンタ１１１のカウント値が０になるので、同期元カウンタ１１１は、図９に示すように、フレームスタート信号Ｋ(図６)を生成して、遅延回路１０５などに供給する。
【００９０】
遅延回路１０５は、同期元カウンタ１１１から供給されるフレームスタート信号を、処理遅延時間だけ遅延させ、図９に示すように、時刻ｔ11から、５個のシンボルが周波数補正回路１１から出力された後の時刻ｔ12において、遅延回路１０５は、遅延後のフレームスタート信号Ｌ（図６）をカウンタ差分生成回路１２２に供給する。
【００９１】
時刻ｔ12において、遅延回路１０５からフレームスタート信号Ｌが供給されると、カウンタ差分生成回路１２２は、そのときに同期先カウンタ１２１から供給されるカウント値である「７」を、差分値として同期元カウンタ１１１にフィードバックする。そして、この差分値に応じて、同期元カウンタ１１１は、カウント値を差分値「７」だけインクリメントすることにより、カウント値を補正する。従って、図９に示すように、カウント値「５」は、「５」を差分値「７」だけインクリメントした「１２」となる。
【００９２】
これにより、時刻ｔ12以降において、図９に示すように、同期元カウンタ１１１のカウント値は、復調処理群１３１により処理遅延が生じた復調信号に同期する同期先カウンタ１２１のカウント値よりも、「５」だけ早いカウント値、即ち処理遅延時間だけ早いカウント値となる。従って、搬送波同期部１０１に入力される信号Ｂと、同期元カウンタ１１１のカウント値を同期させることができる。
【００９３】
図９に示すように、時刻ｔ4において、信号Ｂとしての主信号とフラグの出力が終了すると、図５の場合と同様に、信号Ｂとしての、次のフレームの既知シンボルとフラグの出力が開始される。そして、以降も、時刻ｔ1から時刻ｔ4までの処理と同様の処理が行われる。なお、同期元カウンタ１１１と同期先カウンタ１２１は、１フレームを構成するシンボルの数である２０回のカウントを終了すると、即ち、カウント値が１９になると、カウント値を０に戻す。
【００９４】
次に、図１０を参照して、復調装置１００による、同期元カウンタ１１１のカウント値を、信号Ｂに同期させるカウンタ同期処理について説明する。
【００９５】
ステップＳ１１において、同期元カウンタ１１１は、所定のタイミングで、シンボルのカウントを開始する。ステップＳ１２において、同期元カウンタ１１１は、カウント値が０であるかどうかを判定し、カウント値が０ではないと判定した場合、カウント値が０になるまで待機する。
【００９６】
一方、ステップＳ１２で、カウント値が０であると判定された場合、ステップＳ１３において、同期元カウンタ１１１は、フレームスタート信号を生成して遅延回路１０５などに出力する。ステップＳ１４において、遅延回路１０５は、同期元カウンタ１１１から出力されるフレームスタート信号を、処理遅延時間だけ遅延させる。遅延回路１０５は、遅延後のフレームスタート信号を、カウンタ差分生成回路１２２に供給する。
【００９７】
ステップＳ１５において、同期元カウンタ１１１は、カウンタ差分生成回路１２２から差分値が供給されたかどうかを判定し、差分値が供給されていないと判定された場合、差分値が供給されるまで待機する。
【００９８】
一方、ステップＳ１５で、カウンタ差分生成回路１２２から差分値が供給されたと判定された場合、ステップＳ１６において、同期元カウンタ１１１は、その差分値に基づいて、カウント値を補正する。ステップＳ１７において、同期元カウンタ１１１は、カウント値が所定の値（図９の例では、１９）になったかどうかを判定し、カウント値が所定の値になっていないと判定された場合、カウント値が所定の値になるまで待機する。
【００９９】
一方、ステップＳ１７でカウント値が所定の値になったと判定された場合、ステップＳ１８において、同期元カウンタ１１１は、カウント値を０にする。ステップＳ１９において、同期元カウンタ１１１は、処理を終了するかどうか、例えば、復調装置１００の電源のオフが指令されたかどうかを判定し、処理を終了しないと判定した場合、処理はステップＳ１３に戻り、上述した処理が繰り返される。
【０１００】
また、ステップＳ１９で処理を終了すると判定された場合、ステップＳ２０において、同期元カウンタ１１１は、シンボルのカウントを終了し、処理は終了する。
【０１０１】
次に、図１１を参照して、復調装置１００による、差分値を生成する差分値処理を説明する。この差分値処理は、例えば、復調処理群１３１のフレーム同期処理部４１からの復調信号の入力が開始されたとき、開始される。
【０１０２】
ステップＳ３１において、同期先カウンタ１２１は、フレーム同期処理部４１から供給される復調信号に同期して、シンボルのカウントを開始する。ステップＳ３２において、カウンタ差分生成回路１２２は、遅延回路１０５から遅延時間だけ遅延されたフレームスタート信号が入力されたかどうかを判定する。ステップＳ３２でフレームスタート信号が入力されていないと判定された場合、カウンタ差分生成回路１２２は、フレームスタート信号が入力されるまで待機する。
【０１０３】
一方、ステップＳ３２で、フレームスタート信号が入力されたと判定された場合、ステップＳ３３において、カウンタ差分生成回路１２２は、そのフレームスタート信号に応じて、同期先カウンタ１２１から供給されるカウント値を、差分値として同期元カウンタ１１１に出力する。
【０１０４】
ステップＳ３４において、同期先カウンタ１２１は、処理を終了するかどうか、例えば、復調装置１００の電源のオフが指令されたかどうかを判定し、処理を終了しないと判定した場合、処理はステップＳ３２に戻り、上述した処理が繰り返される。
【０１０５】
また、ステップＳ３４で処理を終了すると判定された場合、ステップＳ３５において、同期先カウンタ１２１は、シンボルのカウントを終了し、処理は終了する。
【０１０６】
図１２は、本発明を適用した復調装置の第２の実施の形態の構成例を示している。
【０１０７】
図１２の復調装置２００は、周波数補正回路１１、等化処理部１０２、位相同期部１０３、搬送波同期部２０１、フレーム同期部２０２、および遅延回路２０３により構成され、搬送波同期部２０１におけるカウント値を、処理遅延時間だけ遅延する。なお、図１２において、図２や図６と同一のものには、同一の符号を付してあり、説明は繰り返しになるので、適宜省略する。
【０１０８】
搬送波同期部２０１は、同期元カウンタ２１１、既知シンボル抽出回路１１２、および周波数誤差検出回路３３により構成される。
【０１０９】
同期元カウンタ２１１は、所定のタイミングで、シンボルをカウントし、そのカウント値を既知シンボル抽出回路１１２と遅延回路２０３に供給する。また、同期元カウンタ２１１は、カウント値が０であるとき、フレームスタート信号を生成して、等化処理部１０２に供給する。
【０１１０】
フレーム同期部２０２は、フレーム同期処理部４１、同期先カウンタ１２１、およびカウンタ差分生成回路２２１により構成される。
【０１１１】
カウンタ差分生成回路２２１には、遅延回路２０３から、処理遅延時間だけ遅延されたカウント値が入力されるとともに、同期先カウンタ１２１によりカウントされたカウント値が入力される。カウンタ差分生成回路２２１は、遅延回路２０３と同期先カウンタ１２１から入力されるカウント値に基づいて、同期先カウンタ１２１のカウント値と、そのカウント値がカウントされるより処理遅延時間前の同期元カウンタ２１１のカウント値との差分値を生成する。そして、カウンタ差分生成回路２２１は、その差分値を搬送波同期部２０１の同期元カウンタ２１１にフィードバックする。
【０１１２】
遅延回路２０３は、搬送波同期部２０１の同期元カウンタ２１１から供給されるカウント値を、処理遅延時間だけ遅延させる。そして、遅延回路２０３は、遅延後のカウント値をカウンタ差分生成回路２２１に供給する。
【０１１３】
以上のように、復調装置２００では、遅延回路２０３が、同期元カウンタ２１１のカウント値を遅延させるので、カウンタ差分生成回路２２１は、遅延されたカウント値が入力されるたびに、差分値を求めることができる。従って、同期元カウンタ２１１は、その差分値に基づいてカウント値を補正することにより、カウント値をインクリメントするたびに、カウント値を補正することができる。
【０１１４】
これにより、復調処理群１３１により処理遅延が生じた復調信号に同期する同期先カウンタ１２１のカウント値により、同期元カウンタ２１１のカウント値を、周波数補正回路１１から出力される、処理遅延が生じる前の復調信号とフラグに、より確実に同期させることができる。
【０１１５】
なお、遅延回路２０３は、複数ビットで表されるカウント値を遅延させるので、１ビットで表されるフレームスタート信号を遅延させる遅延回路１０５（図６）に比べて、遅延回路２０３の回路規模は大きくなる。
【０１１６】
次に、図１３を参照して、復調装置２００における信号のタイミングについて説明する。
【０１１７】
なお、図１３において、図５や図９と同一のものには同一の符号を付してある。
【０１１８】
図１３では、図５や図９の場合と同様に、時刻ｔ1から時刻ｔ2までの間、周波数補正回路１１から搬送波同期部２０１に供給される信号Ｂ（図１２）として、復調信号としての４個のシンボルからなる既知シンボルとフラグが出力される。その後、信号Ｂとして、復調信号としての１６個のシンボルからなる主信号とフラグの出力が開始される。また、図５や図９の場合と同様に、時刻ｔ1から時刻ｔ2までの間、周波数補正回路１１から等化処理部１０２に、既知シンボルが出力され、その後、主信号の出力が開始される。
【０１１９】
そして、図９の場合と同様に、復調処理群１３１の処理により、５個のシンボルが周波数補正回路１１から出力されるまでの間、復調信号が遅延され、図１３に示すように、主信号の先頭から２番目のシンボルとフラグが出力される時刻ｔ3において、フレーム同期処理部４１から同期先カウンタ１２１に供給される信号Ａ（図１２）として、復調信号としての既知シンボルの出力が開始される。
【０１２０】
時刻ｔ3において、信号Ａとして既知シンボルの出力が開始されると、図１３に示すように、同期先カウンタ１２１は、図５や図９の場合と同様に、その信号Ａに同期してシンボルのカウントを開始し、信号Ａとしてシンボルが供給されるごとに、カウント値を０から順にインクリメントする。そして、同期先カウンタ１２１は、カウント値をカウンタ差分生成回路２２１に供給する。
【０１２１】
一方、図９の場合と同様に、信号Ｂの搬送波同期部２０１への入力に対して、同期元カウンタ２１１によるカウントの開始が、７個のシンボルが周波数補正回路１１から出力される時間だけ遅延している場合、図１３に示すように、時刻ｔ1から、７個のシンボルが周波数補正回路１１から出力された後の時刻ｔ11において、同期元カウンタ２１１は、シンボルのカウントを開始し、カウント値を０から順にインクリメントする。そして、同期元カウンタ２１１は、図１３に示すように、カウントされたカウント値を、カウント値Ｍ(図１２)として、順に遅延回路２０３に供給する。
【０１２２】
遅延回路２０３は、同期元カウンタ２１１から供給されるカウント値Ｍを、処理遅延時間だけ遅延させ、図１３に示すように、時刻ｔ11から、５個のシンボルが周波数補正回路１１から出力された後の時刻ｔ12において、遅延回路２０３は、遅延後のカウント値Ｎ（図１２）のカウンタ差分生成回路２２１への出力を開始する。
【０１２３】
時刻ｔ12において、遅延回路２０３からカウント値Ｎの出力が開始されると、カウンタ差分生成回路２２１は、カウント値Ｎが入力されるたびに、そのカウント値Ｎと、そのときに同期先カウンタ１２１から供給されるカウント値との差分値を生成し、その差分値を同期元カウンタ２１１にフィードバックする。
【０１２４】
例えば、時刻ｔ12において、カウンタ差分生成回路２２１は、遅延回路２０３から入力されるカウント値Ｎである「０」と、同期先カウンタ１２１から供給されるカウント値である「７」との差分値である「７」を生成し、その差分値「７」を同期元カウンタ２１１にフィードバックする。そして、この差分値に応じて、同期元カウンタ２１１は、カウント値を差分値「７」だけインクリメントすることにより、カウント値を補正する。従って、図１３に示すように、カウント値「５」は、「５」を差分値「７」だけインクリメントした「１２」となる。
【０１２５】
これにより、時刻ｔ12以降において、図１３に示すように、同期元カウンタ２１１のカウント値は、復調処理群１３１により処理遅延が生じた復調信号に同期する同期先カウンタ１２１のカウント値よりも、処理遅延時間だけ早いカウント値となる。従って、搬送波同期部２０１に入力される信号Ｂと、同期元カウンタ２１１のカウント値を同期させることができる。
【０１２６】
図１３に示すように、時刻ｔ4において、信号Ｂとしての主信号とフラグの出力が終了すると、図５や図９の場合と同様に、信号Ｂとしての、次のフレームの既知シンボルとフラグの出力が開始される。そして、以降も、時刻ｔ1から時刻ｔ4までの処理と同様の処理が行われる。なお、同期元カウンタ２１１と同期先カウンタ１２１は、１フレームを構成するシンボルの数である２０回のカウントを終了すると、カウント値を０に戻す。
【０１２７】
次に、図１４を参照して、復調装置２００によるカウンタ同期処理について説明する。  
【０１２８】
ステップＳ５１において、同期元カウンタ２１１は、所定のタイミングで、シンボルのカウントを開始する。ステップＳ５２において、同期元カウンタ２１１は、カウントしたカウント値を遅延回路２０３に出力する。ステップＳ５３において、遅延回路２０３は、同期元カウンタ２１１から出力されるカウント値を、遅延時間だけ遅延させる。遅延回路２０３は、遅延後のカウント値を、カウンタ差分生成回路２２１に供給する。
【０１２９】
ステップＳ５４乃至Ｓ５９の処理は、図１０のステップＳ１５乃至Ｓ２０の処理と同様であるので、説明は省略する。
【０１３０】
次に、図１５を参照して、復調装置２００による差分値処理を説明する。この差分値処理は、例えば、復調処理群１３１のフレーム同期処理部４１からの復調信号の入力が開始されたとき、開始される。
【０１３１】
ステップＳ７１において、同期先カウンタ１２１は、フレーム同期処理部４１から供給される復調信号に同期して、シンボルのカウントを開始する。そして、同期先カウンタ１２１は、カウント値をカウンタ差分生成回路２２１に供給する。
【０１３２】
ステップＳ７２において、カウンタ差分生成回路２２１は、遅延回路２０３から遅延時間だけ遅延されたカウント値が入力されたかどうかを判定する。ステップＳ７２でカウント値が入力されていないと判定された場合、カウンタ差分生成回路２２１は、カウント値が入力されるまで待機する。
【０１３３】
一方、ステップＳ７２で、カウント値が入力されたと判定された場合、ステップＳ７３において、カウンタ差分生成回路２２１は、遅延回路２０３から入力されたカウント値と、同期先カウンタ１２１から供給されたカウント値との差分値を生成して、その差分値を同期元カウンタ２１１に出力する。
【０１３４】
ステップＳ７４およびＳ７５の処理は、図１１のステップＳ３４およびＳ３５の処理と同様であるので、説明は省略する。
【０１３５】
なお、搬送波同期部１０１（２０１）に入力される、処理遅延が生じていない信号の数は、３つに限定されず、任意の数でよい。
【０１３６】
また、本発明は、デジタル信号を受信する装置、例えば、テレビジョン受像機、チューナ、携帯電話機などに適用することができる。
【０１３７】
さらに、本明細書において、システムとは、複数の装置により構成される装置全体を表すものである。
【０１３８】
また、本発明の実施の形態は、上述した実施の形態に限定されるものではなく、本発明の要旨を逸脱しない範囲において種々の変更が可能である。
【図面の簡単な説明】
【０１３９】
【図１】BSデジタル衛星放送の復調装置の一例を示すブロック図である。
【図２】図１の復調装置の詳細構成例を示すブロック図である。
【図３】図２の復調装置のカウント値の同期に関するブロックを示した図である。
【図４】フレーム構成の一例を示す図である。
【図５】復調装置における信号のタイミングを示すタイミングチャートである。
【図６】本発明を適用した復調装置の第１の実施の形態の構成例を示すブロック図である。
【図７】図６の復調装置のカウント値の同期に関するブロックを示した図である。
【図８】フレーム構成の例を示す図である。
【図９】図６の復調装置における信号のタイミングを示すタイミングチャートである。
【図１０】図６の復調装置によるカウンタ同期処理について説明するフローチャートである。
【図１１】図６の復調装置による差分値処理について説明するフローチャートである。
【図１２】本発明を適用した復調装置の第２の実施の形態の構成例を示すブロック図である。
【図１３】図１２の復調装置における信号のタイミングを示すタイミングチャートである。
【図１４】図１２の復調装置によるカウンタ同期処理について説明するフローチャートである。
【図１５】図１２の復調装置による差分値処理について説明するフローチャートである。
【符号の説明】
【０１４０】
１３  等化処理部，  １４  位相同期部，  １００  復調装置，  １０２  等化処理部,  １０５  遅延回路，  １１１  同期元カウンタ，  １２１  同期先カウンタ，  １２２  カウンタ差分生成回路，  ２００  復調装置，  ２０３  遅延回路，  ２１１  同期元カウンタ，  ２２１  カウンタ差分生成回路
【図１】
2009005307.tif 000003
【図２】
2009005307.tif 000004
【図３】
2009005307.tif 000005
【図４】
2009005307.tif 000006
【図５】
2009005307.tif 000007
【図６】
2009005307.tif 000008
【図７】
2009005307.tif 000009
【図８】
2009005307.tif 000010
【図９】
2009005307.tif 000011
【図１０】
2009005307.tif 000012
【図１１】
2009005307.tif 000013
【図１２】
2009005307.tif 000014
【図１３】
2009005307.tif 000015
【図１４】
2009005307.tif 000016
【図１５】
2009005307.tif 000017